(57)【要約】【課題】現実に押印行為をした場合に近い使用感をユーザに与えられるように、オブジェクト画像を電子的に表示する。【解決手段】表示端末１０ａは、電子印鑑の機能を有する電子スタンプ装置２０ｂ，２０ｃが通信可能範囲Ｒ１内に移動させられると、それぞれの機器識別子をＢｌｕｅｔｏｏｔｈ通信により取得する（（ａ），（ｂ））。表示端末１０ａは、各機器識別子に対応したスタンプ画像データを配信する画像サーバとのネットワーク通信を行い、電子スタンプ装置２０ｂ，２０ｃのスタンプ画像データを取得し、記憶部に記憶する。電子スタンプ装置２０ｂが通信可能範囲Ｒ２内に移動し、表示端末１０ａの表示面に接触させられると、表示端末１０ａは、ＮＦＣ通信により電子スタンプ装置２０ｂから機器識別子を取得し、この機器識別子に対応したスタンプ画像データを記憶部から読み出して、オブジェクト画像としてのスタンプ画像を表示面に表示する（ｃ）。【選択図】図８
2015011670.tif 000002
【特許請求の範囲】
【請求項１】
表示面に画像を表示する表示部と、
第１の距離範囲内にある無線機器から、当該無線機器を識別する機器識別子を無線通信により取得する情報取得部と、
前記機器識別子の各々に対応したオブジェクト画像データを配信する画像サーバと通信して、前記情報取得部が取得した機器識別子に対応した前記オブジェクト画像データを取得し、データを記憶する記憶部に記憶させる画像取得部と、
前記表示面に接触したか、又は、前記第１の距離範囲よりも近い第２の距離範囲内に移動した前記無線機器の機器識別子を特定する特定部と、
前記特定部により特定された機器識別子に対応した前記オブジェクト画像データを前記記憶部から読み出して、前記表示部にオブジェクト画像を表示させる表示制御部と
を備える表示端末。
【請求項２】
前記情報取得部は、
前記第１の距離範囲内を通信エリアとする第１の近接通信により、前記機器識別子を取得し、
前記特定部は、
前記第２の距離範囲内を通信エリアとする第２の近接通信により取得した前記機器識別子を特定する
請求項１に記載の表示端末。
【請求項３】
前記特定部は、
前記無線機器が前記表示面に接触したことを示す接触情報を、前記機器識別子とともに取得した場合に、当該機器識別子を特定する
請求項１に記載の表示端末。
【請求項４】
前記無線機器は、アクセスポイントに接続して無線通信を行い、
前記情報取得部は、
前記第１の距離範囲内を通信エリアとする前記アクセスポイントに接続して無線通信を行うことにより、当該通信エリアにある前記無線機器の機器識別子を取得する
請求項１に記載の表示端末。
【請求項５】
前記画像サーバは、前記アクセスポイントに対応した前記オブジェクト画像データを記憶し、
前記画像取得部は、
自表示端末及び前記無線機器が接続する前記アクセスポイントに対応した前記オブジェクト画像データを、前記画像サーバから取得する
請求項４に記載の表示端末。
【請求項６】
前記表示面への接触操作を検出するセンサを備え、
前記表示制御部は、
前記特定部により前記機器識別子が特定された際に前記センサにより前記接触操作が検出された位置を、前記オブジェクト画像の表示位置とする
請求項１から５のいずれか１項に記載の表示端末。
【請求項７】
前記表示制御部は、
前記特定部により前記機器識別子が特定される度に、前記オブジェクト画像を新たに追加して表示する一方で、当該オブジェクト画像の追加表示数の上限値を示す表示数情報に従って、前記オブジェクト画像の表示を制限する
請求項１から６のいずれか１項に記載の表示端末。
【請求項８】
表示面に画像を表示する表示端末における表示制御方法であって、
第１の距離範囲内にある無線機器から、当該無線機器を識別する機器識別子を無線通信により取得するステップと、
前記機器識別子の各々に対応したオブジェクト画像データを配信する画像サーバと通信して、取得した前記機器識別子に対応した前記オブジェクト画像データを取得し、データを記憶する記憶部に記憶させるステップと、
前記表示面に接触したか、又は、前記第１の距離範囲よりも近い第２の距離範囲内に移動した前記無線機器の機器識別子を特定するステップと、
特定した前記機器識別子に対応した前記オブジェクト画像データを前記記憶部から読み出して、前記表示面にオブジェクト画像を表示する表示するステップと
を有する表示制御方法。
【請求項９】
表示面に画像を表示する表示端末のコンピュータに、
第１の距離範囲内にある無線機器から、当該無線機器を識別する機器識別子を無線通信により取得するステップと、
前記機器識別子の各々に対応したオブジェクト画像データを配信する画像サーバと通信して、取得した前記機器識別子に対応した前記オブジェクト画像データを取得し、データを記憶する記憶部に記憶させるステップと、
前記表示面に接触したか、又は、前記第１の距離範囲よりも近い第２の距離範囲内に移動した前記無線機器の機器識別子を特定するステップと、
特定した前記機器識別子に対応した前記オブジェクト画像データを前記記憶部から読み出して、前記表示面にオブジェクト画像を表示する表示するステップと
を実行させるためのプログラム。
【請求項１０】
表示端末と、前記表示端末と通信する画像サーバとを備える画像表示システムであって、
前記表示端末は、
表示面に画像を表示する表示部と、
第１の距離範囲内にある無線機器から、当該無線機器を識別する機器識別子を無線通信により取得する情報取得部と、
前記情報取得部が取得した機器識別子に対応したオブジェクト画像データを、前記画像サーバと通信して取得し、データを記憶する記憶部に記憶させる画像取得部と、
前記表示面に接触したか、又は、前記第１の距離範囲よりも近い第２の距離範囲内に移動した前記無線機器の機器識別子を特定する特定部と、
前記特定部により特定された機器識別子に対応した前記オブジェクト画像データを前記記憶部から取得して、前記表示部にオブジェクト画像を表示させる表示制御部と
を有し、
前記画像サーバは、
前記機器識別子の各々に対応したオブジェクト画像データを蓄積したデータベースから、前記情報取得部が取得した前記機器識別子に対応した前記オブジェクト画像データを取得して、前記表示端末へ送信する画像管理部と
を有する画像表示システム。
【発明の詳細な説明】
【技術分野】
【０００１】
本発明は、電子印鑑の印影画像等のオブジェクト画像を表示する技術に関する。
【背景技術】
【０００２】
電子印鑑の技術では、無線機器としての電子印鑑を用いて押印行為が行われた場合に、この押印行為が検出されて印影に相当する画像が表示される。特許文献１〜５に開示された技術では、ユーザにより行われた押印行為を検出したことをトリガとして画像を表示する処理が行われる。
【先行技術文献】
【特許文献】
【０００３】
【特許文献１】特開２００７−１９３５６９号公報
【特許文献２】特開２０００−２３１６２６号公報
【特許文献３】特開２００２−３００１５７号公報
【特許文献４】特開２００５−３０９９９７号公報
【特許文献５】特開２００７−６６２１２号公報
【発明の概要】
【発明が解決しようとする課題】
【０００４】
ところで、印影に相当するオブジェクト画像を電子的処理によって表示する場合、押印行為を検出してからこのオブジェクト画像を表示するまでに、通信等による処理遅延を原因としたタイムラグが発生することがある。このタイムラグの発生は、朱肉やインクを使った現実の印鑑で押印行為をした場合とは違う使用感をユーザに与える原因となり、ユーザに違和感を覚えさせてしまう可能性がある。
これに対し、本発明の目的は、現実に押印行為をした場合に近い使用感をユーザに与えられるように、オブジェクト画像を電子的に表示することである。
【課題を解決するための手段】
【０００５】
上述した課題を解決するため、本発明の表示端末は、表示面に画像を表示する表示部と、第１の距離範囲内にある無線機器から、当該無線機器を識別する機器識別子を無線通信により取得する情報取得部と、前記機器識別子の各々に対応したオブジェクト画像データを配信する画像サーバと通信して、前記情報取得部が取得した機器識別子に対応した前記オブジェクト画像データを取得し、データを記憶する記憶部に記憶させる画像取得部と、前記表示面に接触したか、又は、前記第１の距離範囲よりも近い第２の距離範囲内に移動した前記無線機器の機器識別子を特定する特定部と、前記特定部により特定された機器識別子に対応した前記オブジェクト画像データを前記記憶部から読み出して、前記表示部にオブジェクト画像を表示させる表示制御部とを備える。
【０００６】
本発明の表示端末において、前記情報取得部は、前記第１の距離範囲内を通信エリアとする第１の近接通信により、前記機器識別子を取得し、前記特定部は、前記第２の距離範囲内を通信エリアとする第２の近接通信により取得した前記機器識別子を特定するようにしてもよい。
【０００７】
本発明の表示端末において、前記特定部は、前記無線機器が前記表示面に接触したことを示す接触情報を、前記機器識別子とともに取得した場合に、当該機器識別子を特定するようにしてもよい。
【０００８】
本発明の表示端末において、前記無線機器は、アクセスポイントに接続して無線通信を行い、前記情報取得部は、前記第１の距離範囲内を通信エリアとするアクセスポイントに接続して無線通信を行うことにより、当該通信エリアにある前記無線機器の機器識別子を取得するようにしてもよい。
【０００９】
本発明の表示端末において、前記画像サーバは、前記アクセスポイントに対応した前記オブジェクト画像データを記憶し、前記画像取得部は、自表示端末及び前記無線機器が接続する前記アクセスポイントに対応した前記オブジェクト画像データを、前記画像サーバから取得するようにしてもよい。
【００１０】
本発明の表示端末において、前記表示面への接触操作を検出するセンサを備え、前記表示制御部は、前記特定部により前記機器識別子が特定された際に前記センサにより前記接触操作が検出された位置を、前記オブジェクト画像の表示位置とするようにしてもよい。
【００１１】
本発明の表示端末において、前記表示制御部は、前記特定部により前記機器識別子が特定される度に、前記オブジェクト画像を新たに追加して表示する一方で、当該オブジェクト画像の追加表示数の上限値を示す表示数情報に従って、前記オブジェクト画像の表示を制限するようにしてもよい。
【００１２】
本発明の表示制御方法は、表示面に画像を表示する表示端末における表示制御方法であって、第１の距離範囲内にある無線機器から、当該無線機器を識別する機器識別子を無線通信により取得するステップと、前記機器識別子の各々に対応したオブジェクト画像データを配信する画像サーバと通信して、取得した前記機器識別子に対応した前記オブジェクト画像データを取得し、データを記憶する記憶部に記憶させるステップと、前記表示面に接触したか、又は、前記第１の距離範囲よりも近い第２の距離範囲内に移動した前記無線機器の機器識別子を特定するステップと、特定した前記機器識別子に対応した前記オブジェクト画像データを前記記憶部から読み出して、前記表示面にオブジェクト画像を表示する表示するステップとを有する。
【００１３】
本発明のプログラムは、表示面に画像を表示する表示端末のコンピュータに、第１の距離範囲内にある無線機器から、当該無線機器を識別する機器識別子を無線通信により取得するステップと、前記機器識別子の各々に対応したオブジェクト画像データを配信する画像サーバと通信して、取得した前記機器識別子に対応した前記オブジェクト画像データを取得し、データを記憶する記憶部に記憶させるステップと、前記表示面に接触したか、又は、前記第１の距離範囲よりも近い第２の距離範囲内に移動した前記無線機器の機器識別子を特定するステップと、特定した前記機器識別子に対応した前記オブジェクト画像データを前記記憶部から読み出して、前記表示面にオブジェクト画像を表示する表示するステップとを実行させるためのプログラムである。
【００１４】
本発明の画像表示システムは、表示端末と、前記表示端末と通信する画像サーバとを備える画像表示システムであって、前記表示端末は、表示面に画像を表示する表示部と、第１の距離範囲内にある無線機器から、当該無線機器を識別する機器識別子を無線通信により取得する情報取得部と、前記情報取得部が取得した機器識別子に対応したオブジェクト画像データを、前記画像サーバと通信して取得し、データを記憶する記憶部に記憶させる画像取得部と、前記表示面に接触したか、又は、前記第１の距離範囲よりも近い第２の距離範囲内に移動した前記無線機器の機器識別子を特定する特定部と、前記特定部により特定された機器識別子に対応した前記オブジェクト画像データを前記記憶部から読み出して、前記表示部にオブジェクト画像を表示させる表示制御部とを有し、前記画像サーバは、前記機器識別子の各々に対応したオブジェクト画像データを蓄積したデータベースから、前記情報取得部が取得した前記機器識別子に対応した前記オブジェクト画像データを取得して、前記表示端末へ送信する画像管理部とを有する。
【発明の効果】
【００１５】
本発明によれば、現実に押印行為をした場合に近い使用感をユーザに与えられるように、オブジェクト画像を電子的に表示することができる。
【図面の簡単な説明】
【００１６】
【図１】第１実施形態の画像表示システムの全体構成を示す図。
【図２】表示端末のハードウェア構成を示すブロック図。
【図３】電子スタンプ装置のハードウェア構成を示すブロック図。
【図４】画像サーバのハードウェア構成を示すブロック図。
【図５】スタンプ画像ＤＢの構成例及びスタンプ画像を例示する図。
【図６】画像表示システムの機能構成を示す図。
【図７】スタンプ画像の表示処理の流れを示すシーケンス図。
【図８】表示端末と電子スタンプ装置との位置関係の説明図。
【図９】電子スタンプ帳の表示例を示す図。
【図１０】第２実施形態の電子スタンプ装置のハードウェア構成を示すブロック図。
【図１１】画像表示システムの機能構成を示す図。
【図１２】スタンプ画像の表示処理の流れを示すシーケンス図。
【図１３】表示端末と電子スタンプ装置との位置関係の説明図。
【図１４】第３実施形態の画像表示システムの全体構成を示す図。
【図１５】表示端末のハードウェア構成を示すブロック図。
【図１６】電子スタンプ装置のハードウェア構成を示すブロック図。
【図１７】画像表示システムの機能構成を示す図。
【図１８】スタンプ画像の表示処理の流れを示すシーケンス図。
【図１９】画像表示システムでの情報のやりとりを説明する図。
【図２０】第３実施形態の変形例のスタンプ画像ＤＢの構成例を示す図。
【図２１】電子スタンプ帳の表示例を示す図。
【図２２】第４実施形態の画像表示システムの全体構成を示す図。
【図２３】スタンプ画像の表示処理の流れを示すシーケンス図。
【図２４】電子スタンプ帳の表示例を示す図。
【図２５】変形例１の他の例のスタンプ画像の表示処理の流れを示すシーケンス図。
【発明を実施するための形態】
【００１７】
以下、図面を参照しつつ本発明の実施形態を説明する。
［第１実施形態］
図１は、本発明の第１実施形態の画像表示システム１の全体構成を示す図である。画像表示システム１は、複数の表示端末１０と、複数の電子スタンプ装置２０と、画像サーバ３０とを備える。図１には、画像表示システム１に含まれる表示端末１０として、表示端末１０ａ，１０ｂ及び１０ｃの３つを図示している。表示端末１０ａ，１０ｂ及び１０ｃは、互いに異なるユーザにより使用（所持）される。また、図１には、画像表示システム１に含まれる電子スタンプ装置２０として、電子スタンプ装置２０ａ，２０ｂ及び２０ｃの３つを図示している。電子スタンプ装置２０ａ，２０ｂ及び２０ｃは、ここでは、表示端末１０ａ，１０ｂ及び１０ｃのうち、符号の末尾のアルファベットが同じ表示端末１０のユーザにより使用（所持）される。表示端末１０及び画像サーバ３０は、それぞれ、ネットワーク１００に接続する。表示端末１０及び画像サーバ３０は、ネットワーク１００経由で相互に通信可能である。ネットワーク１００は、例えばインターネットを含む通信回線である。
なお、ひとりのユーザが、表示端末１０又は電子スタンプ装置２０を複数使用してもよいが、この実施形態では特に考慮しないものとする。
【００１８】
電子スタンプ装置２０は、表示端末１０にスタンプ画像を電子的に表示させるために使用される無線機器である。表示端末１０は、画像を表示する表示面（後述する表示面１４１）を正面に有している。電子スタンプ装置２０を使用して、押印行為を意味する操作（以下、「押印操作」という。）が表示面１４１に対して行われると、表示端末１０は、その電子スタンプ装置２０のスタンプ画像を表示面１４１に電子的に表示する。押印操作は、電子スタンプ装置２０を使用して表示面１４１を指示する操作である。電子スタンプ画像は、電子スタンプ装置２０の印影に相当するオブジェクト画像である。画像サーバ３０は、電子スタンプ装置２０の各々のスタンプ画像を表すオブジェクト画像データ（以下、「スタンプ画像データ」という。）を配信するサーバ装置である。表示端末１０は、電子スタンプ装置２０のスタンプ画像を表示する際には、その表示に先立って、画像サーバ３０と通信してスタンプ画像データを取得する。
なお、表示端末１０は、ここではスマートフォンであるが、携帯電話端末、タブレット端末、ノート型パソコン、ＰＤＡ（Personal Digital Assistant）、携帯型ゲーム機等の他の表示端末であってもよい。
【００１９】
電子スタンプ装置２０は、ユーザが容易に携帯可能な携帯品であり、図１に示すように、アクセサリとしての一面を有している。具体的には、電子スタンプ装置２０ａは木を模したデザインとなっていて、電子スタンプ装置２０ｂは所定のキャラクタの顔を模したデザインとなっていて、電子スタンプ装置２０ｃは星を模したデザインとなっている。また、電子スタンプ装置２０の一端は、イヤホンジャックの差込口に差し込み可能に形成されている。このため、表示端末１０のユーザは、自身が使用する電子スタンプ装置２０を、この表示端末１０のイヤホンジャックの差込口（図示略）に差し込んだ状態で携帯することができる。ただし、電子スタンプ装置２０は、イヤホンジャックの差込口に差し込み可能に構成されていなくてもよく、外観構成については特に問わない。
【００２０】
図２は、表示端末１０のハードウェア構成を示すブロック図である。図２に示すように、表示端末１０は、制御部１１と、タッチスクリーン部１２と、通信部１３と、表示部１４と、記憶部１５とを備える。
制御部１１は、ＣＰＵ（Central Processing Unit）、ＲＯＭ（Read Only Memory）及びＲＡＭ（Random Access Memory）を有するマイクロコンピュータを備える。ＣＰＵは、ＲＯＭや記憶部１５に記憶されたプログラムをＲＡＭに読み出して実行することにより、表示端末１０の各部を制御する。タッチスクリーン部１２は、表示部１４の表示面１４１に重ねて設けられたセンサを備え、ユーザにより行われた操作をこのセンサにより検出する。ここでは、タッチスクリーン部１２は、ユーザが表示面１４１に対する接触操作を行った場合に、この接触操作により指示された位置を示す操作データを、制御部１１へ供給する。
なお、表示端末１０は、ユーザの操作を受け付ける操作子として物理キーを備えていてもよいし、音声入力による操作を受け付けてもよい。
【００２１】
通信部１３は、第１近接通信部１３１、第２近接通信部１３２及びネットワーク通信部１３３を備え、それぞれが外部装置と通信するためのインタフェースである。第１近接通信部１３１及び第２近接通信部１３２は、ネットワーク１００を介さずに無線通信（すなわち近接通信）を行うためのインタフェースであるが、互いに通信方式が異なっている。ここでは、第１近接通信部１３１は、通信回路やアンテナを有し、Ｂｌｕｅｔｏｏｔｈ（登録商標）による第１の近接通信（以下、「Ｂｌｕｅｔｏｏｔｈ通信」という。）を行うためのインタフェースである。第２近接通信部１３２は、プロセッサやアンテナを有し、ＮＦＣ（Near Field Communication）による第２の近接通信（以下、「ＮＦＣ通信」という。）を行うためのインタフェースである。Ｂｌｕｅｔｏｏｔｈ通信は、例えばクラス２の場合、半径１０ｍ程度の距離範囲内の無線機器と接続可能である。ＮＦＣ通信は、例えば１０ｃｍ未満の距離範囲内の無線機器と接続可能である。すなわち、第２近接通信部１３２が通信可能な距離の範囲（第１の距離範囲）は、第１近接通信部１３１が通信可能な距離の範囲（第２の距離範囲）よりも短い。
ネットワーク通信部１３３は、ネットワーク１００に接続してネットワーク通信を行うためのインタフェースである。
【００２２】
表示部１４は、例えば液晶ディスプレイであり、表示面１４１に画像を表示する。記憶部１５は、例えばＥＥＰＲＯＭ（Electronically Erasable and Programmable ROM）やフラッシュメモリ等の記憶装置を備え、制御部１１により実行されるプログラムのほか、スタンプアプリ１５１及び保有スタンプ情報１５２を記憶する。スタンプアプリ１５１は、スタンプ画像の表示処理を行うときに実行されるアプリケーションプログラムである。保有スタンプ情報１５２は、表示端末１０が表示可能なスタンプ画像（つまり表示端末１０が保有するスタンプ画像）に関するデータを含む。
【００２３】
図３は、電子スタンプ装置２０のハードウェア構成を示すブロック図である。図３に示すように、電子スタンプ装置２０は、制御部２１と、通信部２２と、記憶部２３とを備える。
制御部２１は、ＣＰＵ、ＲＯＭ及びＲＡＭを有するマイクロコンピュータを備える。ＣＰＵは、ＲＯＭや記憶部２３に記憶されたプログラムをＲＡＭに読み出して実行することにより、電子スタンプ装置２０の各部を制御する。通信部２２は、第１近接通信部２２１及び第２近接通信部２２２を備え、外部装置と通信するためのインタフェースである。第１近接通信部２２１及び第２近接通信部２２２は、それぞれ近接通信によりネットワークを介さずに無線通信を行うためのインタフェースであり、互いに通信方式が異なっている。ここでは、第１近接通信部２２１は、通信回路やアンテナを有し、Ｂｌｕｅｔｏｏｔｈ通信を行うためのインタフェースである。第２近接通信部２２２は、プロセッサ及びアンテナを有し、ＮＦＣ通信を行うためのインタフェースである。
【００２４】
記憶部２３は、フラッシュメモリ等の記憶装置であり、電子スタンプ装置２０を一意に識別する機器識別子ＭＩＤを記憶する。この実施形態では、機器識別子ＭＩＤは、電子スタンプ装置２０がＢｌｕｅｔｏｏｔｈ通信に使用するＭＡＣ（Media Access Control address）アドレスである。電子スタンプ装置２０ａに割り当てられた機器識別子ＭＩＤを「Ｍ０００１」と表し、電子スタンプ装置２０ｂに割り当てられた機器識別子ＭＩＤを「Ｍ０００２」と表し、電子スタンプ装置２０ｃに割り当てられた機器識別子ＭＩＤを「Ｍ０００３」と表す。
なお、電子スタンプ装置２０は、例えば内蔵電池を電源として動作する。
【００２５】
図４は、画像サーバ３０のハードウェア構成を示すブロック図である。図４に示すように、画像サーバ３０は、制御部３１と、ネットワーク通信部３２と、記憶部３３とを備える。
制御部３１は、ＣＰＵ、ＲＯＭ及びＲＡＭを有するマイクロコンピュータを備える。ＣＰＵは、ＲＯＭや記憶部３３に記憶されたプログラムをＲＡＭに読み出して実行することにより、画像サーバ３０の各部を制御する。ネットワーク通信部３２は、ネットワーク１００に接続して、外部装置とネットワーク通信を行うためのインタフェースである。記憶部３３は、ハードディスク装置等の記憶装置を備え、制御部３１により実行されるプログラムやスタンプ画像ＤＢ（Data Base）３３１を記憶する。
【００２６】
図５は、スタンプ画像ＤＢ３３１の構成例及びスタンプ画像の一例を示す図である。図５（ａ）は、スタンプ画像ＤＢ３３１の構成例を示す図である。図５（ｂ）は、電子スタンプ装置２０ａ，２０ｂ及び２０ｃの各々のスタンプ画像を例示した図である。
図５（ａ）に示すように、スタンプ画像ＤＢ３３１は、機器識別子とスタンプ画像データとを対応付けて登録したデータベースである。例えば、電子スタンプ装置２０のスタンプ画像は、この電子スタンプ装置２０の外観のデザインと合致する。ここでは、電子スタンプ装置２０ａに対応したスタンプ画像データである「ｉｍｇ０００１」は、図５（ｂ）に示すように、木を模したスタンプ画像を表す。電子スタンプ装置２０ｂに対応したスタンプ画像データである「ｉｍｇ０００２」は、図５（ｂ）に示すように、所定のキャラクタを模したスタンプ画像を表す。電子スタンプ装置２０ｃに対応したスタンプ画像データである「ｉｍｇ０００３」は、図５（ｂ）に示すように、星を模したスタンプ画像を表す。
なお、電子スタンプ装置２０の外観のデザインとスタンプ画像とは合致していなくてもよい。また、本実施形態では、スタンプ画像ＤＢ３３１に蓄積されているスタンプ画像データは、電子スタンプ装置２０の製造者等によって生成されたものである。
【００２７】
図６は、画像表示システム１の機能構成を示す機能ブロック図である。電子スタンプ装置２０の制御部２１は、第１通信制御部２１１と、第２通信制御部２１２とに相当する機能を実現する。
第１通信制御部２１１は、第１近接通信部２２１によりＢｌｕｅｔｏｏｔｈ通信を行って、機器識別子ＭＩＤを表示端末１０へ送信する。第２通信制御部２１２は、第２近接通信部２２２によりＮＦＣ通信を行って、機器識別子ＭＩＤを表示端末１０へ送信する。
【００２８】
表示端末１０の制御部１１は、スタンプアプリ１５１を実行することにより、情報取得部１１１と、画像取得部１１２と、特定部１１３と、表示制御部１１４とに相当する機能を実現する。
情報取得部１１１は、第１近接通信部１３１によりＢｌｕｅｔｏｏｔｈ通信を行って、電子スタンプ装置２０から機器識別子ＭＩＤを取得する。
【００２９】
画像取得部１１２は、ネットワーク通信部１３３により画像サーバ３０とネットワーク通信を行って、情報取得部１１１が取得した機器識別子ＭＩＤに対応したスタンプ画像データを取得する。画像取得部１１２は、画像サーバ３０からスタンプ画像データを取得すると、このスタンプ画像データを記憶部１５に記憶させる。この際、画像取得部１１２は、記憶部１５に記憶した各スタンプ画像データに対応する機器識別子ＭＩＤを識別可能な方法で、これらの各スタンプ画像データを記憶させる。
【００３０】
特定部１１３は、第２近接通信部１３２により通信可能な距離範囲内に移動してきた電子スタンプ装置２０の機器識別子ＭＩＤを特定する。ここでは、特定部１１３は、第２近接通信部１３２によりＮＦＣ通信を行って取得した機器識別子ＭＩＤを、第２近接通信部１３２が通信可能な距離範囲内に移動した電子スタンプ装置２０を示すものとして特定する。
【００３１】
表示制御部１１４は、特定部１１３により特定された機器識別子ＭＩＤに対応したスタンプ画像データを、記憶部１５から読み出して、表示部１４にスタンプ画像を表示させる。この際、表示制御部１１４は、タッチスクリーン部１２から供給された操作データに基づいて、スタンプ画像の表示位置を決定する。ここでは、表示制御部１１４は、タッチスクリーン部１２により接触操作を検知した位置を、スタンプ画像の表示位置とする。
【００３２】
画像サーバ３０の制御部３１は、スタンプ画像管理部３１１に相当する機能を実現する。スタンプ画像管理部３１１は、表示端末１０へ配信するスタンプ画像に関する管理を行う。ここでは、スタンプ画像管理部３１１は、表示端末１０の画像取得部１１２により取得された機器識別子ＭＩＤに対応付けられたスタンプ画像データを、スタンプ画像ＤＢ３３１から取得する。スタンプ画像管理部３１１は、ネットワーク通信部３２によりネットワーク通信を行って、スタンプ画像データを表示端末１０へ送信する。
【００３３】
図７は、画像表示システム１におけるスタンプ画像の表示処理の流れを示すシーケンス図である。図８は、表示端末１０と電子スタンプ装置２０との位置関係の時間的な変化を説明する図である。図８に示すように、第１近接通信部１３１がＢｌｕｅｔｏｏｔｈ通信を行うことのできる範囲を「通信可能範囲Ｒ１」と称し、第２近接通信部１３２がＮＦＣ通信を行うことのできる範囲を「通信可能範囲Ｒ２」と称する。以下、表示端末１０ａに対して、他のユーザの電子スタンプ装置２０を用いた押印操作が行われようとする場合の、画像表示システム１の動作を説明する。
【００３４】
表示端末１０ａは、ユーザの操作に従って記憶部１５からスタンプアプリ１５１を読み出して、スタンプアプリ１５１を実行する。次に、表示端末１０ａは、自端末の周辺にあるＢｌｕｅｔｏｏｔｈ対応機器を探索する（ステップＳ１）。図８（ａ）に示すように、通信可能範囲Ｒ１外に電子スタンプ装置２０ｂ，２０ｃがある場合には、表示端末１０ａは、ステップＳ１の処理では電子スタンプ装置２０ｂ、２０ｃを探索できない。しかし、図８（ｂ）に示すように、電子スタンプ装置２０ｂ，２０ｃが通信可能範囲Ｒ１内に移動させられた場合、表示端末１０ａは、ステップＳ１の処理で、電子スタンプ装置２０ｂ，２０ｃの探索に成功する。
【００３５】
通信可能範囲Ｒ１内にある電子スタンプ装置２０ｂ，２０ｃは、Ｂｌｕｅｔｏｏｔｈ通信を行って、記憶部２３に記憶された機器識別子ＭＩＤを表示端末１０ａへ送信する（ステップＳ２）。電子スタンプ装置２０ｂは、機器識別子ＭＩＤとして「Ｍ０００２」を送信する。電子スタンプ装置２０ｃは、機器識別子ＭＩＤとして「Ｍ０００３」を送信する。
表示端末１０ａは、機器識別子ＭＩＤを受信してこれを取得すると、取得した機器識別子ＭＩＤを指定したスタンプ画像の送信要求（以下、「画像送信要求」という。）を、ネットワーク通信により画像サーバ３０へ送信する（ステップＳ３）。ここでは、表示端末１０ａは、機器識別子ＭＩＤとして「Ｍ０００２」及び「Ｍ０００３」を指定した画像送信要求を送信する。
【００３６】
画像サーバ３０は、画像送信要求を受信すると、受信した画像送信要求で指定された機器識別子ＭＩＤに対応付けられたスタンプ画像データを、スタンプ画像ＤＢ３３１から取得する。そして、画像サーバ３０は、取得したスタンプ画像データを、ネットワーク通信により表示端末１０ａへ送信する（ステップＳ４）。ここでは、画像サーバ３０は、スタンプ画像ＤＢ３３１から、スタンプ画像データとして「ｉｍｇ０００２」と「ｉｍｇ０００３」とを取得し、表示端末１０ａへ送信する。
【００３７】
表示端末１０ａは、画像サーバ３０からスタンプ画像データを受信してこれを取得すると、取得したスタンプ画像データを記憶部１５に記憶させる（ステップＳ５）。ここでは、表示端末１０ａは、スタンプ画像データ「ｉｍｇ０００２」と「ｉｍｇ０００３」とを記憶部１５に記憶させる（図８（ｂ）参照。）。この際、表示端末１０ａは、各スタンプ画像データに対応する機器識別子ＭＩＤを識別可能なように、例えば、スタンプ画像データと機器識別子ＭＩＤとを対応付けて、記憶部１５に記憶させる。
このステップＳ５の処理では、表示端末１０ａは、テンポラリファイルを作成する等して、スタンプ画像データを一時記憶させる。このため、表示端末１０ａは、スタンプアプリ１５１の実行終了時やタイムアウト等の所定のタイミングで、記憶部１５に一時記憶させたスタンプ画像データを削除する。また、表示端末１０ａは、ステップＳ５の処理で、記憶部１５にスタンプ画像データを記憶させるが、この時点では、このスタンプ画像データが表すスタンプ画像を表示させない。
【００３８】
次に、電子スタンプ装置２０ｂのユーザにより、電子スタンプ装置２０ｂを用いて表示端末１０ａに対して押印操作が行われようとしたとする。この場合、押印操作に先立って、電子スタンプ装置２０ｂと表示端末１０ａとの位置関係は、図８（ｃ）に示す状態となる。すなわち、電子スタンプ装置２０ｂが通信可能範囲Ｒ２内に移動させられる。他方、電子スタンプ装置２０ｃは通信可能範囲Ｒ２外にある。
電子スタンプ装置２０ｂは、通信可能範囲Ｒ２内に移動させられると、ＮＦＣ通信により、記憶部２３に記憶された機器識別子ＭＩＤを表示端末１０ａへ送信する（ステップＳ６）。この機器識別子ＭＩＤは、ステップＳ２の処理で送信したものと同じで、ここでは「Ｍ０００２」である。他方、電子スタンプ装置２０ｃは、通信可能範囲Ｒ２外にあるから、機器識別子ＭＩＤを送信しない。
【００３９】
表示端末１０ａは、ステップＳ６の処理で送信された機器識別子ＭＩＤを受信しこれを取得すると、受信した機器識別子ＭＩＤを、通信可能範囲Ｒ２内に移動した電子スタンプ装置２０を示すものとして特定する。そして、表示端末１０ａは、特定した機器識別子ＭＩＤに対応するスタンプ画像データを読み出す（ステップＳ７）。ここでは、表示端末１０ａは、機器識別子ＭＩＤ「Ｍ０００２」に対応するスタンプ画像データとして、「ｉｍｇ０００２」を読み出す。この読み出し先は、例えば制御部１１のＲＡＭである。
【００４０】
そして、表示端末１０ａは、表示面１４１への接触操作をタッチスクリーン部１２により検出すると、ステップＳ７の処理で読み出したスタンプ画像データに基づいて、表示部１４にスタンプ画像を表示させる（ステップＳ８）。表示端末１０ａが接触操作を検出した位置は、電子スタンプ装置２０ｂが接触させられた位置と推定することができる。このため、表示端末１０ａは、電子スタンプ装置２０ｂにより押印操作が行われた位置を、スタンプ画像の表示位置として決定する。
そして、表示端末１０ａは、ステップＳ７の処理で読み出したスタンプ画像データと、このスタンプ画像データに対応する機器識別子ＭＩＤと、スタンプ画像の表示位置を示す位置情報（例えば表示面１４１上の位置を示す座標情報を含む。）とを登録することにより、保有スタンプ情報１５２を更新する（ステップＳ９）。
【００４１】
図９は、ステップＳ８の処理で表示されるスタンプ画像の表示例を示す図である。図９（ａ）は、スタンプ画像が表示されていない状態の電子スタンプ帳Ｎを示す図である。図９（ａ）に示すように、電子スタンプ帳Ｎは、ここでは、押印領域Ｔ１〜Ｔ４という４つのスタンプを押印するための領域を含む。
例えば、図９（ｂ）の上段に示すように、ユーザの押印操作により、電子スタンプ装置２０ｂの先端が表示面１４１上の位置Ｐ１に接触させられたとする。この場合、図９（ｂ）の下段に示すように、表示端末１０ａは、押印領域Ｔ１にスタンプ画像Ｉ１を表示させる。この際、表示端末１０ａは、位置Ｐ１にスタンプ画像Ｉ１の中心を一致させる。他方、図９（ｃ）の上段に示すように、ユーザの押印操作により、電子スタンプ装置２０ｂの先端が表示面１４１上の位置Ｐ２に接触させられたとする。この場合、図９（ｃ）の下段に示すように、表示端末１０ａは、押印領域Ｔ３にスタンプ画像Ｉ１を表示させる。この際、表示端末１０ａは、位置Ｐ２にスタンプ画像Ｉ１の中心を一致させる。この場合、押印領域Ｔ３の端部寄りの位置に電子スタンプ装置２０ｂの先端が接触させられたため、スタンプ画像Ｉ１の一部が、押印領域Ｔ３からはみ出した状態となる。
電子スタンプ装置２０ｂの先端が他の位置に接触させられた場合であっても、表示端末１０ａは、その接触位置を基準としてスタンプ画像の表示位置を決定する。
【００４２】
以降、表示端末１０ａは、保有スタンプ情報１５２を参照することにより、自端末が保有するスタンプ画像を含む電子スタンプ帳を、いつでも表示することができる。画像表示システム１では、図７で説明した処理が、表示端末１０がスタンプアプリ１５１の実行中に繰り返し実行される。
【００４３】
以上説明した第１実施形態の画像表示システム１では、表示端末１０は、押印操作が行われる可能性がある電子スタンプ装置２０を、通信可能範囲Ｒ１内にある電子スタンプ装置２０により特定して、画像サーバ３０からスタンプ画像データを取得しておく。そして、表示端末１０は、実際に押印操作が行われた電子スタンプ装置２０を、通信可能範囲Ｒ２内にある電子スタンプ装置２０により特定して、画像サーバ３０から予め取得しておいたスタンプ画像データに基づいてスタンプ画像を表示する。
仮に、押印操作の検出をトリガとして、表示端末１０がスタンプ画像データを画像サーバ３０から取得した場合、ネットワーク通信の通信遅延を含む処理遅延を原因として、押印操作からスタンプ画像の表示までに、タイムラグが発生する可能性がある。しかしながら、画像表示システム１では、押印操作が行われる可能性がある時点で、表示端末１０がスタンプ画像データを画像サーバ３０から取得するので、このタイムラグを小さくすることができる。よって、画像表示システム１によれば、スタンプ画像を電子的に表示する際に、インクや朱肉を使用する現実のスタンプを押す行為をした場合に近い使用感を、ユーザに与えることができる。
【００４４】
更に、表示端末１０は、スタンプ画像の表示位置については、電子スタンプ装置２０が接触させられた表示面１４１上の位置に決定する。すなわち、電子スタンプ帳の押印領域内の位置に電子スタンプ装置２０が接触させられた場合に、その接触位置が押印領域内のどこかであるによって、スタンプ画像の表示位置も変化する。よって、画像表示システム１によれば、ユーザが実際に押印操作を行った位置がスタンプ画像の表示位置になることによっても、現実のスタンプを押す行為をしたときに近い使用感をユーザに与えることができる。
【００４５】
＜第１実施形態の変形例＞
（１）上述した第１実施形態の画像表示システム１では、表示端末１０と電子スタンプ装置２０とがＢｌｕｅｔｏｏｔｈ通信及びＮＦＣ通信を行うことにより、押印操作が行われる可能性がある電子スタンプ装置２０と、実際に押印操作が行われた電子スタンプ装置２０とをそれぞれ特定していた。これに代えて、この変形例の画像表示システム１では、Ｂｌｕｅｔｏｏｔｈ通信のみで、押印操作が行われる可能性がある電子スタンプ装置２０と、実際に押印操作が行われた電子スタンプ装置２０とをそれぞれ特定する。
【００４６】
この変形例において、表示端末１０は、電子スタンプ装置２０とＢｌｕｅｔｏｏｔｈ通信したときの、電子スタンプ装置２０（つまり第１近接通信部２２１）が発する電波強度を検知する。そして、表示端末１０は、電波強度が第１閾値以上である電子スタンプ装置２０から、機器識別子ＭＩＤを取得した場合には、この機器識別子ＭＩＤに対応したスタンプ画像データをスタンプ画像ＤＢ３３１から取得して、記憶部１５に記憶させる。表示端末１０は、電波強度が第１閾値よりも小さい第２閾値未満である電子スタンプ装置２０から、機器識別子ＭＩＤを取得した場合には、この機器識別子ＭＩＤに対応したスタンプ画像データを記憶部１５から読み出して、スタンプ画像を表示する。
【００４７】
以上のとおり、表示端末１０が、電子スタンプ装置２０との近接通信に使用する電波の強度から、この電子スタンプ装置２０までの距離を推定できる場合には、電波の強度に基づいて押印操作が行われる可能性がある電子スタンプ装置２０と、実際に押印操作が行われた電子スタンプ装置２０とをそれぞれ特定することができる。表示端末１０が、電子スタンプ装置２０との無線通信に使用する電波の強度から、両者の距離を特定（推定）できるのであれば、この変形例において、Ｂｌｕｅｔｏｏｔｈ通信以外の通信方式が採用されてもよい。
【００４８】
（２）上述した第１実施形態の画像表示システム１では、ステップＳ２の処理で電子スタンプ装置２０からＢｌｕｅｔｏｏｔｈ通信により送信される機器識別子ＭＩＤと、ステップＳ６の処理で電子スタンプ装置２０からＮＦＣ通信により送信される機器識別子ＭＩＤとが同じであった。これに代えて、画像表示システム１において、ステップＳ２の処理では、電子スタンプ装置２０が機器識別子ＭＩＤを送信する一方で、ステップＳ６の処理では、電子スタンプ装置２０が、第２近接通信部２２２に対し一意に割り当てられた識別子を送信してもよい。この識別子は、例えば、第２近接通信部２２２のＩＣチップに記録され書き換えができない固有のＩＤ（以下、「ＮＦＣＩＤ」という。）である。
【００４９】
この場合、画像サーバ３０のスタンプ画像ＤＢ３３１では、電子スタンプ装置２０毎に、Ｂｌｕｅｔｏｏｔｈ通信のＭＡＣアドレスと、ＮＦＣＩＤと、スタンプ画像データとが対応付けて登録されていればよい。画像表示システム１の動作を説明すると、画像サーバ３０は、ステップＳ４の処理では、通信可能範囲Ｒ１内にある電子スタンプ装置２０に対応するスタンプ画像データとともに、この電子スタンプ装置２０のＮＦＣＩＤを、ユーザ端末１０へ送信する。ユーザ端末１０は、ステップＳ５の処理では、画像サーバ３０から受信したスタンプ画像データを、このスタンプ画像データとともに受信したＮＦＣＩＤを識別可能な方法で、記憶部１５に記憶させる。そして、ユーザ端末１０は、ステップＳ６の処理で送信されたＮＦＣＩＤを受信すると、受信したＮＦＣＩＤに対応するスタンプ画像データを記憶部１５から読み出して、スタンプ画像を表示する。こうすれば、表示端末１０は、通信可能範囲Ｒ１内にある電子スタンプ装置２０から受信した機器識別子ＭＩＤとは異なる情報であるＮＦＣＩＤを用いて、通信可能範囲Ｒ２内にある電子スタンプ装置２０の機器識別子ＭＩＤを特定することができる。
【００５０】
上述した第１実施形態で使用される機器識別子ＭＩＤは、電子スタンプ装置２０を一意に識別する識別子であれば、ＭＡＣアドレス以外の識別子であってもよい。例えば、機器識別子ＭＩＤは、画像表示システム１におけるスタンプ画像を表示するサービス専用の識別子（サービスＩＤ）であってもよい。また、上述したＮＦＣＩＤについても、機器識別子ＭＩＤとは異なる他の識別子に置き換え可能で、例えばサービス専用のサービスＩＤを用いることができる。
【００５１】
［第２実施形態］
この第２実施形態の画像表示システム１では、表示端末１０と電子スタンプ装置２０とが近接通信を行うことにより、押印操作が行われる可能性がある電子スタンプ装置２０を特定する一方で、実際に押印操作が行われた電子スタンプ装置２０については、表示端末１０が電子スタンプ装置２０から押印操作が行われたことを示す情報を取得することにより特定される。
以下の説明において、上述した第１実施形態と同じ構成要素及び処理ステップについては同一の符号を付して表し、その説明を省略する。
【００５２】
図１０は、電子スタンプ装置２０のハードウェア構成を示すブロック図である。図１０に示すように、電子スタンプ装置２０は、制御部２１と、近接通信部２２３と、記憶部２３と、押印操作検知部２４とを備える。
制御部２１及び記憶部２３のハードウェア構成は、上述した第１実施形態と同じである。近接通信部２２３は、ネットワーク１００を介さずに無線通信を行うためのインタフェースであるが、ここでは、上述した第１実施形態の第１近接通信部２２１と同じく、Ｂｌｕｅｔｏｏｔｈ通信を行うためのインタフェースである。押印操作検知部２４は、電子スタンプ装置２０を用いてユーザにより行われた押印操作を検知する。押印操作検知部２４は、ここでは、電子スタンプ装置２０の先端であって、表示面１４１に接触させられる側の先端に加わる押圧力を検知する圧力センサを有する。押印操作検知部２４は、圧力センサにより検知した押圧力を示すデータを、制御部２１へ供給する。
【００５３】
表示端末１０のハードウェア構成の図示は省略するが、第１近接通信部１３１及び第２近接通信部１３２に代えて、近接通信部１３４（図１１参照）を備える点で、上述した第１実施形態と相違し、その余の構成は同じである。近接通信部１３４は、ネットワーク１００を介さずに無線通信を行うためのインタフェースであるが、ここでは、上述した第１実施形態の第１近接通信部１３１と同じく、Ｂｌｕｅｔｏｏｔｈ通信を行うためのインタフェースである。
画像サーバ３０のハードウェア構成は、上述した第１実施形態と同じである。
【００５４】
図１１は、画像表示システム１の機能構成を示す機能ブロック図である。以下、上述した第１実施形態とは異なる機能構成を説明する。
電子スタンプ装置２０の制御部２１は、第１通信制御部２１１と、第２通信制御部２１２とに相当する機能を実現する。
第１通信制御部２１１は、近接通信部２２３によりＢｌｕｅｔｏｏｔｈ通信を行って、機器識別子ＭＩＤを表示端末１０へ送信する。第２通信制御部２１２は、第２近接通信部２２２によりＢｌｕｅｔｏｏｔｈ通信を行って、機器識別子ＭＩＤ及び押印情報を表示端末１０へ送信する。押印情報は、電子スタンプ装置２０による押印操作が行われたことを示す情報で、換言すると、電子スタンプ装置２０が表示面１４１に接触したことを示す接触情報である。第２通信制御部２１２は、押印操作検知部２４により検知された押圧力に基づいて押印操作が行われたと判断する。例えば、第２通信制御部２１２は、押圧力が閾値以上になった場合に、押印操作が行われたと判断する。
【００５５】
表示端末１０の制御部１１は、スタンプアプリ１５１を実行することにより、情報取得部１１１と、画像取得部１１２と、特定部１１３と、表示制御部１１４とに相当する機能を実現する。
情報取得部１１１は、近接通信部１３４により電子スタンプ装置２０とＢｌｕｅｔｏｏｔｈ通信を行って、第１通信制御部２１１により送信された機器識別子ＭＩＤを取得する。
画像取得部１１２は、ネットワーク通信部１３３により画像サーバ３０とネットワーク通信を行って、情報取得部１１１が取得した機器識別子ＭＩＤに対応したスタンプ画像データを取得する。
特定部１１３は、近接通信部１３４により電子スタンプ装置２０とＢｌｕｅｔｏｏｔｈ通信を行い、第２通信制御部２１２により送信された機器識別子ＭＩＤと押印情報とを取得した場合に、この機器識別子ＩＤを表示面１４１に接触した電子スタンプ装置２０を示すものとして特定する。
表示制御部１１４は、特定部１１３が機器識別子ＭＩＤと押印情報とを取得した場合に、この機器識別子ＭＩＤに対応して記憶部１５に記憶したスタンプ画像データに基づいて、表示部１４にスタンプ画像を表示させる。
画像サーバ３０の機能構成は、上述した第１実施形態と同じである。
【００５６】
図１２は、画像表示システム１でのスタンプ画像の表示処理の流れを示すシーケンス図である。図１３は、表示端末１０と電子スタンプ装置２０との位置関係の時間的な変化を説明する図である。以下、表示端末１０ａに対して他のユーザの電子スタンプ装置２０を用いた押印操作が行われようとする場合の、画像表示システム１の動作を説明する。
表示端末１０ａは、まず、自端末の周辺にあるＢｌｕｅｔｏｏｔｈ対応機器を探索する（ステップＳ１）。ここで、図１３（ａ）に示すように、近接通信部１３４が通信可能である通信可能範囲Ｒ内に電子スタンプ装置２０ｂがある場合を考える。この場合、通信可能範囲Ｒ内にある電子スタンプ装置２０ｂは、記憶部２３に記憶された機器識別子ＭＩＤを、Ｂｌｕｅｔｏｏｔｈ通信により表示端末１０ａへ送信する（ステップＳ２）。
表示端末１０ａは、機器識別子ＭＩＤを受信してこれを取得すると、取得した機器識別子ＭＩＤに基づいて、画像送信要求を画像サーバ３０へ送信する（ステップＳ３）。画像サーバ３０は、画像送信要求に従ってスタンプ画像ＤＢ３３１から取得したスタンプ画像データを、表示端末１０ａへ送信する（ステップＳ４）。表示端末１０ａは、画像サーバ３０からスタンプ画像データを受信してこれを取得すると、記憶部１５に記憶させる（ステップＳ５）。
【００５７】
その後、電子スタンプ装置２０ｂを表示端末１０ａの表示面１４１に接触させる押印操作が行われたとする。この場合、電子スタンプ装置２０ｂと表示端末１０ａとの位置関係が、図１３（ｂ）に示す状態となる。すなわち、電子スタンプ装置２０ｂは、その先端が表示端末１０ａの表示面１４１に接触させられることになる。
電子スタンプ装置２０ｂは、表示端末１０ａの表示面１４１に接触させられ、押印操作検知部２４により検知された押圧力が閾値以上になると、押印操作を検知する（ステップＳ１０）。押印操作を検知すると、電子スタンプ装置２０ｂは、機器識別子ＭＩＤと押印情報とを、Ｂｌｕｅｔｏｏｔｈ通信により表示端末１０ａへ送信する（ステップＳ１１）。
【００５８】
表示端末１０ａは、ステップＳ１１の処理で送信された機器識別子ＭＩＤと押印情報とを受信しこれを取得すると、この機器識別子ＭＩＤに対応するスタンプ画像データを記憶部１５から読み出す（ステップＳ７）。そして、表示端末１０ａは、読み出したスタンプ画像データに基づいて、スタンプ画像を表示する（ステップＳ８）。そして、表示端末１０ａは、保有スタンプ情報１５２を更新する（ステップＳ９）。ステップＳ７〜Ｓ９の処理は、上述した第１実施形態と同じ処理である。
【００５９】
以上説明した第２実施形態の画像表示システム１においては、表示端末１０は、押印操作が行われる可能性のある電子スタンプ装置２０のスタンプ画像データを予め取得し、押印操作を検知したときに、記憶部１５からスタンプ画像データを読み出してスタンプ画像を表示する。これにより、画像表示システム１によれば、押印操作を検知するとすぐにスタンプ画像を表示することができ、現実のスタンプを押す行為をしたときに近い使用感をユーザに与えることができる。
また、この第２実施形態の画像表示システム１では、表示端末１０及び電子スタンプ装置２０が少なくとも１種類の通信方式の近接通信に対応していればよい。
【００６０】
＜第２実施形態の変形例＞
上述した第２実施形態では、押印操作検知部２４は、電子スタンプ装置２０の先端に加わる押圧力を検知する圧力センサを有していたが、押印操作検知部２４はこれ以外の構成であってもよい。
例えば、押印操作検知部２４は、加速度センサを備え、検出した加速度を示すデータを制御部２１へ供給してもよい。電子スタンプ装置２０により押印操作が行われた場合、例えば、電子スタンプ装置２０の鉛直下方向成分を含む方向の加速度が大きくなると推測される。すなわち、押印操作が行われるときに電子スタンプ装置２０に加わる加速度の時間的変化は、押印操作時に特有の時間的変化を示すはずである。そこで、電子スタンプ装置２０は、加速度を示すデータに基づいて、自端末に加わる加速度の時間的変化が、予め決められた押印操作時の時間的変化に合致した場合には、ステップＳ１０の処理で押印操作を検知して、ステップＳ１１の処理で機器識別子ＭＩＤと押印情報とを表示端末１０へ送信する。この際、電子スタンプ装置２０は、ステップＳ２の処理で機器識別子ＭＩＤを送信していることを条件として、押印情報を送信することが望ましい。
また、押印操作検知部２４は、利用者により所定の操作子（操作ボタン）が操作されたことを押印操作として検知してもよい。電子スタンプ装置２０により押印操作をするときにユーザがこの操作子を操作するように決められていれば、電子スタンプ装置２０はこの操作子の操作があった場合に、押印操作を検知すればよい。
以上のとおり、電子スタンプ装置２０が押印操作を検出するために備える押印操作検知部２４については、種々の変形が可能である。
【００６１】
［第３実施形態］
この第３実施形態の画像表示システム１では、Ｗｉ−Ｆｉ（登録商標）等の無線通信サービスにおけるアクセスポイントの情報を用いて、押印操作が行われる可能性のある電子スタンプ装置２０を特定する点で、上述した第２実施形態とは相違する。以下、実際に押印操作が行われる電子スタンプ装置２０を上述した第２実施形態の方法で検知する場合を例に挙げて説明するが、上述した第１実施形態の方法で検知されてもよい。
以下の説明において、上述した第２実施形態と同じ構成要素及び処理ステップについては同一の符号を付して表し、その説明を省略する。
【００６２】
図１４は、本発明の第３実施形態の画像表示システム１の全体構成を示す図である。画像表示システム１は、複数の表示端末１０と、複数の電子スタンプ装置２０と、画像サーバ３０と、アクセスポイント４０とを備える。アクセスポイント４０は、例えば店舗や飲食店等の所定の場所に設置される。図１４に示すように、アクセスポイント４０は、無線通信に用いる電波によって通信エリア（セル）Ｒ３を形成する。通信エリアＲ３内にある無線機器は、アクセスポイント４０に接続して無線通信を行うことにより、ネットワーク通信を行うことができる。この無線通信の際、アクセスポイント４０は、自装置、すなわち、通信エリアを識別する識別子として、エリア識別子を通信エリアＲ３内の無線機器へ送信する。エリア識別子は、Ｗｉ−Ｆｉ通信の場合には、例えばＳＳＩＤである。
【００６３】
図１５は、表示端末１０のハードウェア構成を示すブロック図である。図１５に示すように、表示端末１０は、制御部１１と、タッチスクリーン部１２と、通信部１３と、表示部１４と、記憶部１５とを備える。制御部１１、タッチスクリーン部１２、表示部１４及び記憶部１５のハードウェア構成は、上述した第２実施形態と同じである。
通信部１３は、近接通信部１３４と、無線通信部１３５と、ネットワーク通信部１３３とを備える。近接通信部１３４及びネットワーク通信部１３３は、上述した第２実施形態と同じ構成である。無線通信部１３５は、アクセスポイント４０に接続して無線通信を行うためのインタフェースである。無線通信部１３５は、アクセスポイント４０の通信エリアＲ３内では、アクセスポイント４０から取得したエリア識別子を用いて、アクセスポイント４０に接続する。
【００６４】
図１６は、電子スタンプ装置２０のハードウェア構成を示すブロック図である。図１６に示すように、電子スタンプ装置２０は、制御部２１と、近接通信部２２３と、記憶部２３と、押印操作検知部２４とを備える。制御部２１、記憶部２３及び押印操作検知部２４のハードウェア構成は、上述した第２実施形態と同じである。
通信部２２は、近接通信部２２３と、無線通信部２２４とを備える。近接通信部２２３は、上述した第２実施形態と同じ構成である。無線通信部２２４は、アクセスポイント４０に接続して無線通信を行うためのインタフェースである。無線通信部１３５は、アクセスポイント４０の通信エリア内では、アクセスポイント４０から取得したエリア識別子等を用いてアクセスポイント４０に接続する。
画像サーバ３０のハードウェア構成は、上述した第２実施形態と同じである。
【００６５】
図１７は、画像表示システム１の機能構成を示す機能ブロック図である。以下、上述した第２実施形態とは異なる機能構成を主に説明する。
電子スタンプ装置２０の制御部２１は、第１通信制御部２１１と、第２通信制御部２１２とに相当する機能を実現する。第１通信制御部２１１は、無線通信部２２４によりアクセスポイント４０に接続して無線通信を行って、エリア識別子を取得する。また、第１通信制御部２１１は、無線通信部２２４によりアクセスポイント４０に接続して、機器識別子ＭＩＤを及びエリア識別子を画像サーバ３０へ送信する。
第２通信制御部２１２は、第２近接通信部２２２によりＢｌｕｅｔｏｏｔｈ通信を行って、機器識別子ＭＩＤ及び押印情報を表示端末１０へ送信する。
【００６６】
表示端末１０の制御部１１は、スタンプアプリ１５１を実行することにより、情報取得部１１１と、画像取得部１１２と、表示制御部１１４とに相当する機能を実現する。
情報取得部１１１は、近接通信部１３４によりアクセスポイント４０に接続して無線通信を行って、自表示端末１０と同じ通信エリアにある電子スタンプ装置２０の機器識別子ＭＩＤを取得する。
画像取得部１１２は、情報取得部１１１が取得した機器識別子ＭＩＤに対応したスタンプ画像データを取得する。
【００６７】
特定部１１３は、近接通信部１３４により電子スタンプ装置２０と無線通信を行って、第２通信制御部２１２により送信された機器識別子ＭＩＤと押印情報とを取得した場合に、この機器識別子ＩＤを表示面１４１に接触した電子スタンプ装置２０を示すものとして特定する。
表示制御部１１４は、特定部１１３が機器識別子ＭＩＤと押印情報とを取得した場合に、この機器識別子ＭＩＤに対応して記憶部１５に記憶したスタンプ画像データに基づいて、表示部１４にスタンプ画像を表示させる。
画像サーバ３０のスタンプ画像管理部３１１は、表示端末１０及び電子スタンプ装置２０から機器識別子ＭＩＤ及びエリア識別子をネットワーク通信部３２により取得すると、取得した機器識別子ＭＩＤ及びエリア識別子に応じてスタンプ画像データを送信する等のデータ管理を行う。
【００６８】
図１８は、画像表示システム１でのスタンプ画像の表示処理の流れを示すシーケンス図である。図１９は、画像表示システム１での情報のやりとりを説明する図である。以下、表示端末１０ａに対して電子スタンプ装置２０ｂを用いた押印操作が行われようとする場合の、画像表示システム１の動作を説明する。
アクセスポイント４０は、自装置が形成する通信エリアＲ３内で、エリア識別子を無線通信により、所定期間毎に送信する。ここで、電子スタンプ装置２０ｂと表示端末１０ａとがアクセスポイント４０の通信エリアＲ３内にある場合、図１９に示すように、アクセスポイント４０は、電子スタンプ装置２０ｂと表示端末１０ａとに対し、エリア識別子を送信することとなる（ステップＳ１２，Ｓ１３）。電子スタンプ装置２０ｂは、取得したエリア識別子と機器識別子ＭＩＤとを、アクセスポインと４０を介した無線通信により、画像サーバ３０へ送信する（ステップＳ１４）。画像サーバ３０は、電子スタンプ装置２０ｂから取得したエリア識別子と機器識別子ＭＩＤとを対応付けて、記憶部３３に記憶された管理テーブル（図示略）に書き込む。この管理テーブルによって、画像サーバ３０は、各電子スタンプ装置２０が現在どの通信エリア内にあるかを特定する。
【００６９】
次に、表示端末１０ａは、所定のタイミングで、画像送信要求を画像サーバ３０へ送信する（ステップＳ１５）。図１９に示すように、ここでは、表示端末１０ａは、自端末が取得したエリア識別子を含む画像送信要求を送信する。ただし、この画像送信要求には、機器識別子ＭＩＤを含まれていない。
画像サーバ３０は、画像送信要求を受信すると、上述の管理テーブルにおいて、この画像送信要求に含まれるエリア識別子に対応付けられた機器識別子ＭＩＤを特定し、特定した機器識別子ＭＩＤと、この機器識別子ＭＩＤに対応してスタンプ画像ＤＢ３３１に蓄積されたスタンプ画像データとを、表示端末１０ａへ送信する（ステップＳ１６）。表示端末１０ａは、画像サーバ３０から取得した機器識別子ＭＩＤとスタンプ画像データとを対応付けて記憶部１５に記憶させる（ステップＳ１７）。すなわち、表示端末１０ａは、画像サーバ３０経由で、電子スタンプ装置２０ｂの機器識別子ＭＩＤを取得する。
以降、画像表示システム１においては、上述した第２実施形態と同じ方法でステップＳ５〜Ｓ９の処理が実行されることにより、スタンプ画像の表示が行われる。
【００７０】
以上説明した第３実施形態の画像表示システム１においては、押印操作の可能性のある電子スタンプ装置２０を、アクセスポイント４０から取得したエリア識別子を用いて特定する。この第３実施形態の画像表示システム１においても、押印操作を検知するとすぐにスタンプ画像を表示でき、現実のスタンプを押す行為をしたときに近い使用感をユーザに与えることができる。
【００７１】
＜第３実施形態の変形例＞
以下に示す変形例は、各々を適宜に組み合わせてもよい。
（１）上述した第３実施形態の画像表示システム１は、表示端末１０及び電子スタンプ装置２０が取得したエリア識別子に応じたスタンプ画像を表示するように変形されてもよい。この変形例の画像表示システム１の各装置のハードウェア構成、機能構成及び処理の流れは、大半が上述した第３実施形態と共通する。よって、以下では、第３実施形態との相違点を主に説明する。
【００７２】
この変形例の画像サーバ３０は、上述した第３実施形態と同じく、スタンプ画像ＤＢ３３１を記憶部３３に記憶しているとともに、第２スタンプ画像ＤＢ３３２を記憶部３３に記憶している。
図２０は、第２スタンプ画像ＤＢ３３２の構成例を示す図である。
図２０に示すように第２スタンプ画像ＤＢ３３２は、エリア識別子とスタンプ画像データとを対応付けて蓄積したデータベースである。第２スタンプ画像ＤＢ３３２では、エリア識別子毎に異なるスタンプ画像データが対応付けられている。ここでのスタンプ画像は、通信エリアが形成される場所に応じた画像である。例えば、通信エリアＲ３が空港内に形成されているならば、スタンプ画像は飛行機を模した画像である。
【００７３】
画像表示システム１でのスタンプ画像の表示処理の流れは、図１８で説明したシーケンス図のとおりであるが、この変形例では、ステップＳ１６の処理が、以下のように実行される。
画像サーバ３０は、機器識別子に対応したスタンプ画像データをスタンプ画像ＤＢ３３１から読み出して取得する一方で、画像送信要求で指定されたエリア識別子に対応したスタンプ画像データを、第２スタンプ画像ＤＢ３３２から読み出して取得する。そして、画像サーバ３０は、スタンプ画像ＤＢ３３１及び第２スタンプ画像ＤＢ３３２から各々取得したスタンプ画像データを合成した合成スタンプ画像データを生成し、機器識別子とともに、ステップＳ１６の処理で送信する。
以降、画像表示システム１においてステップＳ５〜Ｓ９の処理が実行されることにより、スタンプ画像の表示が行われる。
【００７４】
図２１は、アクセスポイント４０の通信エリアＲ３内で、電子スタンプ装置２０ｂを用いた押印操作が行われたときの電子スタンプ帳Ｎの表示例を示す図である。
通信エリアＲ３のエリア識別子を「Ｒ０００１」とすると、図２１に示すように、電子スタンプ帳Ｎでは、押印領域Ｔ１に、電子スタンプ装置２０ｂのスタンプ画像Ｉ１と、エリア識別子「Ｒ００１」に対応するスタンプ画像ｅ（スタンプ画像データは「ｉｍｇ１００１」）とを合成した、合成スタンプ画像Ｉ１ｅが表示される。この合成スタンプ画像Ｉ１ｅは、電子スタンプ装置２０ｂをアクセスポイント４０の通信エリアＲ３で押印した場合に限り表示されるものである。通信エリアＲ３以外で押印操作がされた場合には、図９に示すスタンプ画像Ｉが表示されるか、別のアクセスポイントの通信エリアに対応した合成スタンプ画像が表示される。
この変形例の画像表示システム１によれば、エリア限定のスタンプ画像を表示することができ、ユーザの興味を惹くようなサービスを提供することができる。
【００７５】
（２）電子スタンプ装置２０は、アクセスポイント４０から取得したエリア識別子を、表示端末１０へ送信してもよい。この場合、表示端末１０は、電子スタンプ装置２０から取得したエリア識別子と、自端末が取得したエリア識別子と、この電子スタンプ装置２０から取得した機器識別子とを指定した画像送信要求を送信すればよい。エリア識別子及び機器識別子と、画像サーバ３０が送信するスタンプ画像データとの関係については、上述した第３実施形態又は上述した（１）の変形例と同じでよい。
【００７６】
（３）上述した第３実施形態における通信エリアは、Ｗｉ−Ｆｉ通信における通信エリアに限定されない。例えば、この通信エリアは、フェムトセル小型基地局装置により形成される通信エリアや、ＷｉＭＡＸ（登録商標）等の通信規格で使用される通信エリア等であってもよい。
【００７７】
［第４実施形態］
上述した第１〜第３実施形態の画像表示システム１では、電子スタンプ装置２０による押印操作が行われる度に、表示端末１０がスタンプ画像を追加して表示する構成である。例えば、店舗で利用されるスタンプカードのように本発明を利用する場合、ユーザの買い物の購入額（決済額）に応じて、スタンプ画像の押印を許可する回数を制限したい場合がある。すなわち、仮に制限回数を超えて押印操作が行われた場合であっても、表示端末１０がスタンプ画像を追加表示しないことが望ましい場合がある。
以下、実際に押印操作が行われる電子スタンプ装置２０を上述した第２実施形態の方法で検知する場合を例に挙げて説明する。以下の説明で、上述した第２実施形態の画像表示システム１と同じ構成要素及び処理ステップについては同一の符号を付して表し、その説明を省略する。
【００７８】
図２２は、本発明の第４実施形態の画像表示システム１の全体構成を示す図である。図２２に示すように、画像表示システム１は、表示端末１０と、電子スタンプ装置２０と、画像サーバ３０と、店舗端末５０とを備える。電子スタンプ装置２０は、店舗で使用されるスタンプ装置であり、上述した第２実施形態と同じ構成である。店舗端末５０は、ＰＯＳ（Point Of Sale）システムに対応した電子レジスタであり、商品に付されているバーコードを読み取って商品の価格を表示する機能や、電子スタンプ装置２０と通信を行う機能を備えたコンピュータ装置である。ここでは、店舗端末５０は、ＮＦＣ通信により電子スタンプ装置２０と通信する。このため、電子スタンプ装置２０の近接通信部２２３は、ＮＦＣ通信を行うためのインタフェースであるものとする。店舗端末５０は、商品の価格を計算して、決済が完了すると、その決済額に応じてスタンプ画像を押印可能な回数（以下、「押印可能回数」という。）を示す回数情報を、ＮＦＣ通信により電子スタンプ装置２０へ送信する。典型的には、決済額が高額であるほど押印可能回数は多くなる。この回数情報は、スタンプ画像の追加表示数の上限値を示す情報（上限値情報）ともいえる。
【００７９】
図２３は、画像表示システム１でのスタンプ画像の表示処理の流れを示すシーケンス図である。図２３では、画像サーバ３０についての記載と、ステップＳ１〜Ｓ６の記載を省略しているが、上述した第２実施形態と同じ処理が実行されるものとする。図２４は、電子スタンプ帳Ｎの表示例を示す図である。
店舗端末５０は、決済処理が完了すると、その決済額に応じた回数情報を、電子スタンプ装置２０へＮＦＣ通信により送信する（ステップＳ１８）。電子スタンプ装置２０は、回数情報を受信すると、それを制御部２１のＲＡＭ又は記憶部２３に記憶しておく。ここでは、回数情報が、押印可能回数として「２回」を示す情報であるものとする。
【００８０】
その後、図２４（ａ）の上段に示すように、押印領域Ｔ１への押印操作を、電子スタンプ装置２０が検知すると（ステップＳ１０ａ）、機器識別子ＭＩＤと押印情報とを表示端末１０へ送信する（ステップＳ１１ａ）。電子スタンプ装置２０は、機器識別子ＭＩＤと押印情報との送信回数が、未だ回数情報が示す押印可能回数以下であるから、このステップＳ１１ａの処理を行う。表示端末１０は、ステップＳ１１ａの処理で送信された機器識別子ＭＩＤと押印情報とを受信しこれを取得すると、この機器識別子ＭＩＤに対応するスタンプ画像データを記憶部１５から読み出して、スタンプ画像を表示する処理等を行う（ステップＳ７ａ〜Ｓ９ａ）。ステップＳ７ａ〜Ｓ９ａの各処理ステップの処理は、ステップＳ７〜Ｓ９の各処理と同じでよい。これにより、１つ目のスタンプ画像が表示されて、図２４（ａ）の下段に示すように、電子スタンプ帳Ｎの押印領域Ｔ１にスタンプ画像Ｉ２が表示される。
【００８１】
次に、図２４（ｂ）の上段に示すように、押印領域Ｔ２への押印操作を、電子スタンプ装置２０が検知すると（ステップＳ１０ｂ）、機器識別子ＭＩＤと押印情報と表示端末を１０へ送信する（ステップＳ１１ｂ）。電子スタンプ装置２０は、機器識別子ＭＩＤと押印情報との送信回数が、未だ回数情報が示す押印可能回数以下であるから、このステップＳ１１ｂの処理を行う。表示端末１０は、ステップＳ１１ｂの処理で送信された機器識別子ＭＩＤと押印情報とを受信しこれを取得すると、この機器識別子ＭＩＤに対応するスタンプ画像データを記憶部１５から読み出して、スタンプ画像を表示する処理等を行う（ステップＳ７ｂ〜Ｓ９ｂ）。ステップＳ７ｂ〜Ｓ９ｂの各処理ステップの処理は、ステップＳ７ａ〜Ｓ９ａの各処理と同じでよい。これにより、２つ目のスタンプ画像が表示されて、図２４（ｂ）の下段に示すように、電子スタンプ帳Ｎの押印領域Ｔ２にスタンプ画像Ｉ２が表示される。
【００８２】
次に、図２４（ｃ）の上段に示すように、押印領域Ｔ３への押印操作を、電子スタンプ装置２０が検知したとする（ステップＳ１０ｃ）。この場合、電子スタンプ装置２０は、機器識別子ＭＩＤと押印情報との送信回数が、回数情報が示す押印可能回数を超えないようにするために、機器識別子ＭＩＤと押印情報とを送信する処理を行わない。以降、電子スタンプ装置２０は、新たな回数情報を受信するまでは、機器識別子ＭＩＤと押印情報とを送信する処理を行わないものとする。
以上、押印可能回数が２回の場合の画像表示システム１の動作を説明したが、押印可能回数を１回又は３回以上の所定回数に制限する場合も、同様にしてスタンプ画像の表示が制限される。
【００８３】
以上説明した第４実施形態の画像表示システム１においては、回数情報により電子スタンプ装置２０で押印可能な回数が制限されるので、誤って多数のスタンプ画像を押印する等の不具合の発生を抑えることができる。
この変形例のように、回数情報に基づいて押印回数を制限する構成は、上述した第１実施形態及び第３実施形態の画像表示システム１に適用することもできる。
【００８４】
＜第４実施形態の変形例＞
以下に示す変形例は、各々を適宜に組み合わせてもよい。
（１）上述した第４実施形態では、店舗端末５０は回数情報を電子スタンプ装置２０へ送信し、電子スタンプ装置２０が押印回数を制限するための制御を行っていた。これに代えて、店舗端末５０は回数情報を表示端末１０へ送信し、表示端末１０が押印回数を制限するための制御を行ってもよい。
【００８５】
図２５は、画像表示システム１でのスタンプ画像の表示処理の流れを示すシーケンス図である。図２５では、画像サーバ３０についての記載と、ステップＳ１〜Ｓ６の記載を省略している。
店舗端末５０は、決済処理が完了すると、その決済額に応じた回数情報を表示端末１０へＮＦＣ通信により送信する（ステップＳ１８ａ）。表示端末１０は、回数情報を受信すると、それを制御部１１のＲＡＭ又は記憶部１５に記憶しておく。ここでは、回数情報が、押印可能回数として「２回」を示す情報であるものとする。
【００８６】
その後、電子スタンプ装置２０が、１回目の押印操作に対応してステップＳ１０ａ，Ｓ１１ａの処理を行うと、機器識別子ＭＩＤと押印情報とを表示端末１０へ送信する。この場合、表示端末１０は、スタンプ画像を追加表示した回数が、未だ回数情報が示す押印可能回数以下であるから、ステップＳ７ａ〜Ｓ９ａの処理を行って、スタンプ画像を表示する。次に、電子スタンプ装置２０が、２回目の押印操作に対応してステップＳ１０ｂ，Ｓ１１ｂの処理を行うと、機器識別子ＭＩＤと押印情報とを表示端末１０へ送信する。この場合、表示端末１０は、スタンプ画像を追加表示した回数が、未だ回数情報が示す押印可能回数以下であるから、ステップＳ７ｂ〜Ｓ９ｂの処理を行って、スタンプ画像を表示する。次に、電子スタンプ装置２０が、３回目の押印操作に対応してステップＳ１０ｃ，Ｓ１１ｃの処理を行うと、機器識別子ＭＩＤと押印情報とを表示端末１０へ送信する。この場合、表示端末１０は、スタンプ画像を追加表示する回数が、回数情報が示す押印可能回数を超えないようにするために、スタンプ画像を表示する処理（上述したステップＳ７〜Ｓ９に相当する処理）を行わない。
以上、押印可能回数が２回の場合の画像表示システム１の動作を説明したが、押印可能回数を１回又は３回以上の所定回数に制限する場合も、同様にしてスタンプ画像の表示が制限される。
【００８７】
（２）上述した第４実施形態では、店舗端末５０が回数情報を送信して、スタンプ画像の表示を制限する場合を説明したが、上述した第４実施形態の構成の画像表示システム１は、店舗利用に限られるものではない。これに伴い、店舗端末５０は、他のコンピュータ装置に置き換えられてもよい。
【００８８】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
上述した各実施形態の画像表示システム１では、表示端末１０は、タッチスクリーン部１２により接触操作を検知した位置を、スタンプ画像の表示位置としていた。これに代えて、表示端末１０は、電子スタンプ装置２０が接触した位置が押印領域に含まれるのであれば、常に、その押印領域の中心等の所定位置に、スタンプ画像を表示してもよい。また、表示端末１０は、表示面１４１上のどの位置に電子スタンプ装置２０が接触させられた場合であっても、表示面１４１の中心等の所定位置にスタンプ画像を表示してもよい。
すなわち、電子スタンプ装置２０が接触させられた位置と、スタンプ画像の表示位置との関係については、種々の変形が可能である。
また、表示端末１０は、記憶部１５からスタンプ画像データを読み出すと、表示面１４１への接触操作を待たずに、スタンプ画像を表示してもよい。
【００８９】
（変形例２）
上述した各実施形態では、画像サーバ３０のスタンプ画像ＤＢ３３１に登録されるスタンプ画像データは予め決められていたが、表示端末１０が指定したスタンプ画像データがスタンプ画像ＤＢ３３１に蓄積されていてもよい。この場合、表示端末１０は、例えば、自端末とユーザが同じである電子スタンプ装置２０の機器識別子と、登録したいスタンプ画像データとを含む登録要求を、画像サーバ３０へ送信する。そして、画像サーバ３０は、登録要求に含まれる機器識別子ＭＩＤとスタンプ画像データとを対応付けて、スタンプ画像ＤＢ３３１に登録する。
【００９０】
（変形例３）
上述した各実施形態の画像表示システム１で使用されるスタンプ画像の用途は、電子スタンプ帳への収集に限られない。例えば、所定のＳＮＳ（Social Networking Service）で交流することのできる表示端末１０を、同じスタンプ画像を保有する表示端末１０同士に制限してもよい。この場合、表示端末１０は、ＳＮＳの管理を行うＳＮＳサーバに、保有スタンプ情報１５２に基づいて、スタンプ画像を保有している電子スタンプ装置２０の機器識別子を送信する。そして、ＳＮＳサーバは、同じ機器識別子を送信してきた表示端末１０同士についてＳＮＳでの交流を許可する。
また、ユーザが、自身の電子スタンプ装置２０を用いて自身の表示端末１０に押印操作をした場合、表示端末１０は、この電子スタンプ装置２０のスタンプ画像を、電子メールやＳＮＳで投稿する情報等の送信データに付加してもよい。こうすれば、電子スタンプ装置２０のスタンプ画像を、送信データの送信元のユーザが正当なユーザであることの証明に利用することができる。
すなわち、本発明では、表示端末１０が保有するスタンプ画像の機器識別子やスタンプ画像データを用いて、電子スタンプ帳への収集以外の所定の処理を行うことができる。
【００９１】
（変形例４）
上述した各実施形態の画像表示システム１では、電子スタンプ装置２０毎にスタンプ画像が１つに決まっていたが、押印操作毎にスタンプ画像を変化させる構成が採られてもよい。例えば、表示端末１０は、画像サーバ３０に登録されたスタンプ画像データが表すスタンプ画像に、押印操作のあった年月日や押印回数等の付加情報を示す付加画像を重畳させてもよい。この付加画像の重畳は、表示端末１０が行ってもよいし、画像サーバ３０が行ってもよい。また、表示端末１０は、押印操作毎にスタンプ画像の色を変化させてもよいし、押印回数が増えると濃度を低くしたスタンプ画像を表示させてもよい。
【００９２】
（変形例５）
表示端末１０と電子スタンプ装置２０との間で行われる近接通信その他の無線通信の通信方式は、上述した通信方式に限定されない。
また、電子スタンプ装置２０は、スマートフォンやタブレット端末等の無線通信を行う通信端末により実現されてもよく、無線機器であればその具体的な種類は問わない。すなわち、本発明の無線機器は、電子スタンプ画像を表示させるための機能のみを実現する機器に限られない。
上述した各実施形態において、表示端末１０の制御部１１や電子スタンプ装置２０の制御部２１、画像サーバ３０の制御部３１が実現する各機能は、複数のプログラムの組み合わせによって実現され、又は、複数のハードウェア資源の連係によって実現されうる。表示端末１０や電子スタンプ装置２０、画像サーバ３０の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取り可能な記録媒体に記憶した状態で提供されてもよいし、ネットワークを介して配信されてもよい。また、本発明は、表示端末における表示制御方法として把握することも可能である。
【符号の説明】
【００９３】
１…画像表示システム、１０…表示端末、１１…制御部、１１１…情報取得部、１１２…画像取得部、１１３…特定部、１１４…表示制御部、１２…タッチスクリーン部、１３…通信部、１３１…第１近接通信部、１３２…第２近接通信部、１３３…ネットワーク通信部、１３４…近接通信部、１３５…無線通信部、１４…表示部、１４１…表示面、１５…記憶部、１５１…スタンプアプリ、１５２…保有スタンプ情報、２０…電子スタンプ装置、２１…制御部、２１１…第１通信制御部、２１２…第２通信制御部、２２…通信部、２２１…第１近接通信部、２２２…第２近接通信部、２２４…無線通信部、２３…記憶部、３０…画像サーバ、３１…制御部、３１１…スタンプ画像管理部、３２…ネットワーク通信部、３３…記憶部、３３１…スタンプ画像ＤＢ、３３２…第２スタンプ画像ＤＢ、４０…アクセスポイント、５０…店舗端末。
【図１】
2015011670.tif 000003
【図２】
2015011670.tif 000004
【図３】
2015011670.tif 000005
【図４】
2015011670.tif 000006
【図５】
2015011670.tif 000007
【図６】
2015011670.tif 000008
【図７】
2015011670.tif 000009
【図８】
2015011670.tif 000010
【図９】
2015011670.tif 000011
【図１０】
2015011670.tif 000012
【図１１】
2015011670.tif 000013
【図１２】
2015011670.tif 000014
【図１３】
2015011670.tif 000015
【図１４】
2015011670.tif 000016
【図１５】
2015011670.tif 000017
【図１６】
2015011670.tif 000018
【図１７】
2015011670.tif 000019
【図１８】
2015011670.tif 000020
【図１９】
2015011670.tif 000021
【図２０】
2015011670.tif 000022
【図２１】
2015011670.tif 000023
【図２２】
2015011670.tif 000024
【図２３】
2015011670.tif 000025
【図２４】
2015011670.tif 000026
【図２５】
2015011670.tif 000027